(57)【要約】【課題】  平常時は隙間なく目地部を塞ぐことができ、かつ躯体が地震によって揺れ動いた場合であっても、他方の目地プレートの背面側に一方の目地プレートが入り込むことを防止できる目地装置を提供すること。【解決手段】  左右の躯体間の目地部を塞ぐ目地装置であって、前記左右の躯体にそれぞれ設けられ、蝶番機能を有する先端部が回転可能な左右の蝶番部材と、該左右の蝶番部材にそれぞれ一端部が固定され、前記目地部を塞ぐことができる左右一対の目地プレートと、前記左右一対の目地プレートを常に目地部の内方へ付勢する目地プレート付勢機構と、前記左右の蝶番部材の各先端部が所定角度以上内方へ回転することを防止するストッパーとで構成され、前記左右一対の目地プレートの各他端部には、接続端部がそれぞれ設けられ、地震によって躯体が揺れ動いた場合に、前記左右一対の目地プレートの各他端部が互いに重ならないように、前記各接続端部は前記目地プレート付勢機構によって接続されていることを特徴とする。【選択図】  図１
2017082541.tif 000002
【特許請求の範囲】
【請求項１】
左右の躯体間の目地部を略垂直状態で塞ぐ目地装置であって、前記左右の躯体にそれぞれ設けられ、蝶番機能を有する先端部が回転可能な左右の蝶番部材と、該左右の蝶番部材にそれぞれ一端部が固定され、前記目地部を塞ぐことができる左右一対の目地プレートと、前記左右一対の目地プレートを常に目地部の内方へ付勢する目地プレート付勢機構と、前記左右の蝶番部材の各先端部が所定角度以上内方へ回転することを防止するストッパーとで構成され、前記左右一対の目地プレートの各他端部には、接続端部がそれぞれ設けられ、地震によって躯体が揺れ動いた場合に、前記左右一対の目地プレートの各他端部が互いに重ならないように、前記各接続端部は前記目地プレート付勢機構によって接続されていることを特徴とする目地装置。
【請求項２】
左右の躯体間の目地部を略水平状態で塞ぐ目地装置であって、前記左右の躯体にそれぞれ設けられ、蝶番機能を有する先端部が回転可能な左右の蝶番部材と、該左右の蝶番部材にそれぞれ一端部が固定され、前記目地部を塞ぐことができる左右一対の目地プレートと、前記左右一対の目地プレートを常に目地部の内方へ付勢する目地プレート付勢機構と、前記左右の蝶番部材の各先端部が所定角度以上内方へ回転することを防止するストッパーとで構成され、前記左右一対の目地プレートの各他端部には、接続端部がそれぞれ設けられ、地震によって躯体が揺れ動いた場合に、前記左右一対の目地プレートの各他端部が互いに重ならないように、前記各接続端部は前記目地プレート付勢機構によって接続されていることを特徴とする目地装置。
【請求項３】
前記一方の目地プレートの接続端部と他方の目地プレート接続端部の間には、緩衝材が設けられていることを特徴とする請求項１又は請求項２のいずれかに記載の目地装置。
【請求項４】
前記目地プレート付勢機構は、他方の躯体に固定された付勢具と、該付勢具に設けられたワイヤーと、前記一方の目地プレートに設けられた滑車とで構成され、前記ワイヤーが前記滑車を介して一方の目地プレートの接続端部に設けられた透孔を通過し、他方の目地プレートの接続端部に固定されていることを特徴とする請求項１乃至請求項３のいずれかに記載の目地装置。
【請求項５】
前記目地プレート付勢機構は、一方の躯体に固定された付勢具と、該付勢具に設けられたワイヤーと、前記他方の目地プレートに設けられた滑車とで構成され、前記ワイヤーが前記滑車を介して他方の目地プレートの接続端部に設けられた透孔を通過し、一方の目地プレートの接続端部に固定されていることを特徴とする請求項１乃至請求項３のいずれかに記載の目地装置。
【発明の詳細な説明】
【技術分野】
【０００１】
本発明は目地部を介して設けられた躯体の間の目地部を塞ぐ目地装置に関する。
【背景技術】
【０００２】
従来、壁面間や天井間の目地部を塞ぐ目地装置としては、目地部を介して設けられた左右の建物の目地部側の一方の壁面に目地部のほぼ半分を覆う一方の目地プレートを取付けることができるように所定間隔で先端部が外方へだけ回転可能に取付けられた、少なくとも先端部が三角形状の複数個の一方の回転ブラケットと、この複数個の一方の回転ブラケットに取付けられた、前記目地部のほぼ半分を覆う一方の目地プレートと、前記複数個の一方の回転ブラケットと対向する他方の壁面に、該一方の回転ブラケットの先端部を支持する支持凹部が先端部に形成され、先端部が外方へだけ回転可能に取付けられた複数個の他方の回転ブラケットと、この複数個の他方の回転ブラケットに支持凹部も覆うように取付けられた、前記目地部のほぼ半分を覆う他方の目地プレートと、この他方の目地プレートあるいは前記他方の回転ブラケットの先端部に一端部が取付けられ、他端部が前記一方の壁面に固定あるいはガイドリングを介して取付けられた他方の目地プレート付勢機構と、前記一方の目地プレートあるいは前記一方の回転ブラケットの先端部に一端部が取付けられ、他端部が前記他方の壁面に固定あるいはガイドリングを介して取付けられた一方の目地プレート付勢機構を備える目地装置が知られていた（例えば特許文献１）。
【０００３】
しかしながら、このような目地装置では前記特許文献の図１２に示すように躯体が地震によって目地部の前後方向（天井用に使用した場合には目地部の上下方向）に揺れ動き、その後、揺れ動きが終息し元の位置に建物等が復帰した場合に、２枚の目地プレートのうち、他方の目地プレートの背面側（図１２においては上方）に一方の目地プレートの先端部が入り込んでしまうという欠点があった。
【０００４】
また、これらの目地プレートは外方にのみ回転可能なブラケットを介して取り付けられており、内方には回転できないため、他方の目地プレートの背面側（図１２においては上方）に一方の目地プレートが入り込んでしまった場合には、一方の目地プレートは他方の目地プレート付勢機構により回転できない内方方向への荷重を受けることになり、破損や変形してしまうおそれがあった。
【先行技術文献】
【特許文献】
【０００５】
【特許文献１】特許第３７１８４５４号公報
【発明の概要】
【発明が解決しようとする課題】
【０００６】
本発明は以上のような従来の欠点に鑑み、平常時は隙間なく目地部を塞ぐことができ、かつ躯体が地震によって揺れ動いた場合であっても、他方の目地プレートの背面側に一方の目地プレートが入り込むことを防止できる目地装置を提供することを目的としている。
【０００７】
本発明の前記ならびにそのほかの目的と新規な特徴は次の説明を添付図面と照らし合わせて読むと、より完全に明らかになるであろう。
【０００８】
ただし、図面はもっぱら解説のためのものであって、本発明の技術的範囲を限定するものではない。
【課題を解決するための手段】
【０００９】
上記目的を達成するために、本発明の目地装置は、左右の躯体間の目地部を略垂直状態で塞ぐ目地装置であって、前記左右の躯体にそれぞれ設けられ、蝶番機能を有する先端部が回転可能な左右の蝶番部材と、該左右の蝶番部材にそれぞれ一端部が固定され、前記目地部を塞ぐことができる左右一対の目地プレートと、前記左右一対の目地プレートを常に目地部の内方へ付勢する目地プレート付勢機構と、前記左右の蝶番部材の各先端部が所定角度以上内方へ回転することを防止するストッパーとで構成され、前記左右一対の目地プレートの各他端部には、接続端部がそれぞれ設けられ、地震によって躯体が揺れ動いた場合に、前記左右一対の目地プレートの各他端部が互いに重ならないように、前記各接続端部は前記目地プレート付勢機構によって接続されていることを特徴とする。
また、本発明の目地装置は、左右の躯体間の目地部を略水平状態で塞ぐ目地装置であって、前記左右の躯体にそれぞれ設けられ、蝶番機能を有する先端部が回転可能な左右の蝶番部材と、該左右の蝶番部材にそれぞれ一端部が固定され、前記目地部を塞ぐことができる左右一対の目地プレートと、前記左右一対の目地プレートを常に目地部の内方へ付勢する目地プレート付勢機構と、前記左右の蝶番部材の各先端部が所定角度以上内方へ回転することを防止するストッパーとで構成され、前記左右一対の目地プレートの各他端部には、接続端部がそれぞれ設けられ、地震によって躯体が揺れ動いた場合に、前記左右一対の目地プレートの各他端部が互いに重ならないように、前記各接続端部は前記目地プレート付勢機構によって接続されていることを特徴とする。
【発明の効果】
【００１０】
以上の説明から明らかなように、本発明にあっては次に列挙する効果が得られる。
（１）請求項１に記載の発明においては、一方の目地プレート及び他方の目地プレートの接続端部は前記目地プレート付勢機構によって連結されているため、地震によって躯体が異なる前後方向に揺れ動いてもの一方（他方）目地プレートの背面側に他方（一方）の目地プレートが入り込むことを防止できる。
（２）また、一方及び他方の目地プレートは、先端部材が外方にのみ回転可能な蝶番部材に取り付けられているため、地震による揺れ動きを吸収した後、揺れ動きが収まると、自動で元の位置に戻ることができる。
（３）請求項２に記載の各発明においても、前記（１）〜（２）と同様な効果が得られるとともに、一方の目地プレートの接続端部と他方の目地プレート接続端部の間に緩衝材が設けられているため、目地プレートが風等でガタつくことを防止することができる。
（４）請求項３及び４に記載の各発明においても、前記（１）〜（３）と同様な効果が得られる。
【図面の簡単な説明】
【００１１】
図１乃至図８は本発明の第１の実施形態を示す説明図である。
図９乃至図１３は本発明の第２の実施形態を示す説明図である。
図１４乃至図1５は本発明の第３の実施形態を示す説明図である。
【図１】目地装置の正面図。
【図２】図１の２−２線に沿う断面図。
【図３】一方の目地プレートの説明図。
【図４】他方の目地プレートの説明図。
【図５】目地プレート付勢機構の説明図。
【図６】地震で目地部が狭くなった状態の動作説明図。
【図７】地震で目地部が広くなった状態の動作説明図。
【図８】地震で躯体が異なる前後方向に揺れ動いた状態の動作説明図。
【図９】第２実施形態の目地装置の平面図。
【図１０】図９の１０−１０線に沿う断面図。
【図１１】地震で目地部が狭くなった状態の動作説明図。
【図１２】地震で目地部が広くなった状態の動作説明図。
【図１３】地震で躯体が異なる前後方向に揺れ動いた状態の動作説明図。
【図１４】第３実施例の目地装置の正面図。
【図１５】図１４の１５−１５線に沿う断面図。
【発明を実施するための形態】
【００１２】
以下、図面に示す本発明を実施するための形態により、本発明を詳細に説明する。
【００１３】
図１乃至図８に示す本発明を実施するための第１の形態において、１は目地部２を介して設けられた一方の躯体３及び他方の躯体４間に設置された目地装置であって、本実施の形態においては、一方の躯体３及び他方の躯体４の壁面間の目地部を略垂直方向に塞ぐ壁面用目地装置として用いられるものである。
【００１４】
なお、左右方向とは図１（正面視）における左右方向であり、前後方向とは図２（平面視）における上下方向（正面視における奥手前方向）をいう。目地部の外方とは、躯体の外側壁面方向（図２における下方向）であり、目地部の内方とは、躯体の内側壁面方向（図２における上方向）をいう。
【００１５】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１６】
この目地装置１は、図１及び図２に示すように、一方の躯体３及び他方の躯体４の壁面間の目地部２を略垂直状態で塞ぐ壁面用目地装置１であって、後端部５ａが前記一方の躯体３の内側壁面３ａに固定され、ヒンジ６を介して設けられた先端部５ｂが外方にのみ回転可能な一方の蝶番部材５と、該一方の蝶番部材５に一端部７ａが固定されるとともに、他端部７ｂに接続端部８が形成され、前記目地部２の一部を塞ぐことができる一方の目地プレート７と、後端部９ａが前記他方の躯体４の内側壁面４ａに固定され、ヒンジ１０を介して設けられた先端部９ｂが外方にのみ回転可能な他方の蝶番部材９と、該他方の蝶番部材９に後端部１１ａが固定されるとともに、先端部１１ｂに接続端部１２が形成されるとともに、この先端部１１ｂが前記一方の目地プレート７の先端部７ｂ付近に位置するように設けられた他方の目地プレート１１と、前記一方の目地プレート７の接続端部８と他方の目地プレート１１の接続端部１２の間に設けられたゴム製で円柱状の緩衝材１３と、前記一方の目地プレート７の接続端部８及び他方の目地プレート１１の接続端部１２を連結し、前記一方の目地プレート７及び他方の目地プレート１１を内方へ付勢することができる目地プレート付勢機構１４とで構成されている。
【００１７】
前記一方の蝶番部材５は、平面視略クランク状の後端部５ａと該後端部５ａにヒンジ６を介して取り付けられた平面視略クランク状の先端部５ｂと、該先端部５ｂから内側に突出するように設けられたストッパー取付け片１５と、該ストッパー取付け片１５に螺合するストッパー１６としてのネジで構成されており、該ストッパー１６としてのネジを回転させ、その先端部を後端部５ａに当接させることにより、先端部５ｂが内方へ回転することを制限している。
【００１８】
なお、ストッパー１６の先端部が一方の蝶番部材５の後端部５ａに当接している状態で、前記一方の目地プレート７が前記一方の躯体３の外側壁面３ｂ側へ山型に突出する角度になるように、ストッパー１６としてのネジをストッパー取付け片１５に螺合させて、固定することが望ましい。このような角度にすることにより、地震によって目地部が狭くなった際に、左右の目地プレート７、１１の先端部に係る力が外側壁面３ｂ側へ働き、スムーズに左右の蝶番部材５、９の先端部５ｂ、９ｂを外方に回転させることができる。なお、左右の目地プレート７、１１が左右の躯体３、４の外側壁面３ｂ、４ｂと略平行となるような角度にしても、左右の蝶番部材５、９の先端部５ｂ、９ｂはクランク状に形成されており、左右の蝶番部材５、９のヒンジ６、１０（回転軸）は、一方の目地プレート７及び他方の目地プレート１１よりも内側に位置するため、左右の蝶番部材５、９の先端部５ｂ、９ｂを外方に回転させることができる。
【００１９】
この一方の蝶番部材５の後端部５ａは平面視略クランク状の形状をしているので、一方の躯体３の内側壁面３ａとの間に隙間が生じるが、この隙間には、一方の蝶番部材５の回転を妨げないような軟質のパッキン材１７を充填することが望ましい。本実施の形態において、一方の蝶番部材５は、上下方向に所定間隔を有して３つ設けられている。一方の蝶番部材５を設ける数量は、一方の目地プレート７の大きさ等によって、適宜変更することが可能である（左右の蝶番部材は一対でも複数対でもよい）。
【００２０】
前記他方の蝶番部材９も、前記一方の蝶番部材５と同様に構成されている。
【００２１】
前記一方の目地プレート７は、図３に示すように、一端部７ａが前記一方の蝶番部材５に合わせて屈曲しており、蝶番部材５の先端部５ｂと一方の目地プレート７の一端部７ａは、溶接、ネジ止め、リベット打ち等で固定される。他端部７ｂには略垂直方向に連続して、略くの字状の接続端部８が形成されており、本実施の形態においては、一方の躯体３付近に一端部７ａが位置し、他端部７ｂが目地部２の略中央までを塞ぐような寸法で形成されている。この接続端部８には、目地プレート付勢機構１４のワイヤー１８が通過するための透孔１９が形成されている。また、一方の目地プレート７の背面側には、前記目地プレート付勢機構１４のワイヤー１８を通過させる滑車２０が固定されている。
【００２２】
なお、前記接続端部８は、不連続に複数設けてもよい。
【００２３】
前記他方の目地プレート１１は、図４に示すように、一端部１１ａが前記他方の蝶番部材９に合わせて屈曲しており、一方の目地プレート７と同様に他方の蝶番部材９に固定される。他端部１１ｂには略垂直方向に連続して、略逆くの字状の接続端部１２が形成されており、本実施の形態においては、他方の躯体４付近に一端部１１ａが位置し、他端部１１ｂが前記一方の目地プレート７の他端部７ｂと略当接する程度の近傍に位置するような寸法で形成されている。このように、目地部２の一部を塞ぐことができる一方の目地プレート７及び該一方の目地プレートの先端部７ｂ付近に対抗するように、その先端部１１ｂが位置するように設けられた他方の目地プレート１１の左右一対の目地プレート７、１１によって、目地部２の全体を塞ぐことができる。
【００２４】
なお、前記接続端部１２は、不連続に複数設けてもよい。この場合、前記一方の目地プレート７の接続端部８と対になるように設ける。
【００２５】
前記接続端部１２には、目地プレート付勢機構１４のワイヤー１８の先端が固定される。ワイヤー１８の固定方法としては、本実施の形態においては、接続端部１２に透孔１９を形成し、この透孔１９を通過させた後、透孔１９よりも大径の留め具２１にワイヤー１８を固定する方法を採用している。なお、ワイヤー１８の固定方法は、これに限られず、溶接、接着等の方法を用いてもよい。
【００２６】
前記目地プレート付勢機構１４は、図５に示すように、他方の躯体４の内側壁面４ａに取り付けられた付勢具２２と、該付勢具２２に連結されたワイヤー１８と、一方の目地プレート７の背面側に取り付けられた前記滑車２０とで構成されている。本実施の形態において付勢具２２として、ゼンマイバネを用いたリールを使用している。
【００２７】
この目地プレート付勢機構１４のワイヤー１８は、前記滑車２０を介して一方の目地プレート７の接続端部８の透孔１９を通過し、前記緩衝材１３を貫通し、他方の目地プレート１１の接続端部１２に固定され、一方の目地プレート７の他端部７ｂと、他方の目地プレート１１の他端部１１ｂを接続すると共に、内方に付勢する。
【００２８】
なお、目地プレート付勢機構１４は、一方の躯体３の内側壁面３ａに付勢具２２を取り付け、他方の目地プレート１１の背面側に滑車２０を設け、ワイヤー１８を該滑車２０を介して他方の目地プレート１１の接続端部１２の透孔１９を通過させ、前記緩衝材１３を貫通させ、一方の目地プレート７の接続端部８に固定してもよい。本実施の形態において、目地プレート付勢機構１４は、上下方向に所定間隔を有して２つ設けられている。目地プレート付勢機構１４を設ける数量は、一方の目地プレート７の大きさ等によって、適宜変更することが可能であるが、目地プレート等を均等に付勢するために、複数個用いることが望ましい。
【００２９】
地震で躯体３、４が左右方向に揺れ動き目地部２が狭くなると、図６に示すように、一方の目地プレート７及び他方の目地プレート１１の他端部７ｂ、１１ｂには緩衝材１３を介して荷重が加わり、左右の躯体３、４の外側壁面３ｂ、４ｂ方向へ力が加わる。これにより、一方の目地プレート７及び他方の目地プレート１１は目地プレート付勢機構１４の付勢力に抗して外側へ回転して揺れ動きを吸収する。地震による揺れ動きが収まると、目地プレート付勢機構１４の付勢力によって一方の目地プレート７及び他方の目地プレート１１は、元の状態に自動的に戻る。
【００３０】
なお、緩衝材１３は、前記ワイヤー１８により支持されているので、脱落することなく一方の目地プレート７と他方の目地プレート１１の間に位置する。
地震で躯体３、４が左右方向に揺れ動き目地部２が広くなると、図７に示すように、一方の目地プレート７及び他方の目地プレート１１が離間して揺れ動きを吸収し、地震による揺れ動きが収まると、元の状態に自動的に戻る。
【００３１】
地震で躯体３、４が異なる前後方向に揺れ動くと、図８に示すように、目地プレート付勢機構１４の付勢力によって他方の目地プレート１１は外側に回転し揺れ動きを吸収し、地震による揺れ動きが収まると、元の状態に自動的に戻る。この時、他方の目地プレート１１の接続端部１２は目地プレート付勢機構１４のワイヤー１８によって、一方の目地プレート７の接続端部８と連結されているので、一方の目地プレートの背面側に他方の目地プレートが入り込むことを防止することができる。
【００３２】
なお、一方の躯体が他方の躯体よりも内側方向に揺れ動いた場合には、一方の目地プレート７は前述の他方の目地プレート１１と同様に、地震による揺れ動きを吸収する。
【００３３】
[発明を実施するための異なる形態]
次に、図９乃至図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３４】
図９乃至図１３に示す本発明を実施するための第２の形態において、前記本発明を実施するための第１の形態と主に異なる点は、付勢具２２Ａとしてコイルスプリングを用いた目地プレート付勢機構１４Ａとするとともに、一方の躯体３及び他方の躯体４の天井間の目地部２を略水平状態で塞ぐ天井用目地装置として用いた点で、このような目地装置１Ａにしても、前記本発明を実施するための第１の形態と同様の作用効果を得ることができる。
【００３５】
図１４乃至図１５に示す本発明を実施するための第３の形態において、前記本発明を実施するための第１の形態と主に異なる点は、一方の躯体３Ａとしての基礎部材及び他方の躯体４Ａとしての免震用建物間の外側の目地部２を略垂直状態で塞ぐ免震建物用目地装置として用いた点で、このような目地装置１Ｂにしても、前記本発明を実施するための第１の形態と同様の作用効果を得ることができる。
【００３６】
なお、ストッパーとして、前記特許文献１に用いられているブラケットのような部材を用いてもよい。このような場合には、目地プレートや躯体の内側壁面にストッパーを直接取り付ければよいため、蝶番部材にストッパー取付け片介して用いなくともよい。ストッパーをストッパー取付け片と別体とせずストッパー取付け片をアングル状としてストッパー取付け片自体をストッパーとし、蝶番部材の先端部、後端部、目地プレートの背面側又は躯体の内側壁面等にストッパーを取り付けてもよい。
【００３７】
また、本発明の実施の形態においては、一方の目地プレート及び他方の目地プレートの回転軸を目地プレートよりも内側に位置させることにより、目地部が狭くなった際に、目地プレートを外側へ回転させているが、一方の目地プレート又は他方の目地プレートの先端部を傾斜面として、目地部が狭くなった際に、目地プレートを外側へ回転させてもよい。このように目地プレートを形成しても、一方の目地プレート及び他方の目地プレートの先端部を目地プレート付勢機構によって連結しているので、建物が異なる前後方向に揺れ動いた場合でも、他端部が互いに重なり合ってしまい一方（他方）の目地プレートが他方（一方）の目地プレート背面側へ入り込むことを防止することができる。
【００３８】
さらに、付勢具としてゼンマイバネやコイルスプリングを用いるものについて説明したが、これらの代わりにワイヤーの端部に錘を吊り下げて、付勢具としてもよい。
【産業上の利用可能性】
【００３９】
本発明は目地装置を製造する産業で利用される。
【符号の説明】
【００４０】
１、１Ａ、１Ｂ：目地装置、          ２：目地部、
３、３Ａ：一方の躯体、              ４、４Ａ：他方の躯体、
５：一方の蝶番部材、                ６：ヒンジ、
７：一方の目地プレート、            ８：接続端部、
９：他方の蝶番部材、                １０：ヒンジ、
１１：他方の目地プレート、          １２：接続端部、
１３：緩衝材、                      １４、１４Ａ：目地プレート付勢機構、
１５：ストッパー取付け片、          １６：ストッパー、
１７：パッキン材、                  １８：ワイヤー、
１９：透孔、                        ２０：滑車、
２１：留め具、                      ２２、２２Ａ：付勢具。
【図１】
2017082541.tif 000003
【図２】
2017082541.tif 000004
【図３】
2017082541.tif 000005
【図４】
2017082541.tif 000006
【図５】
2017082541.tif 000007
【図６】
2017082541.tif 000008
【図７】
2017082541.tif 000009
【図８】
2017082541.tif 000010
【図９】
2017082541.tif 000011
【図１０】
2017082541.tif 000012
【図１１】
2017082541.tif 000013
【図１２】
2017082541.tif 000014
【図１３】
2017082541.tif 000015
【図１４】
2017082541.tif 000016
【図１５】
2017082541.tif 000017